(57)【要約】【課題】Ｖネック尖端部における孔あきを効果的に防止するためのＶネック尖端部の編成方法を提供する。【解決手段】横編機を用いたＶネック尖端部の編成において、Ｖネックをニットウエアの編幅方向に２分する中心線Ｘ−Ｘを挟んで一側衿部７Ｌと一側中央部５Ｌ、他側衿部７Ｒと他側中央部５Ｒとを、大略的に針床の長手方向の一方から他方へ編成する。その際、中心線Ｘ−Ｘを挟む一方側と他方側でそれぞれ一側増し目４Ｌと他側増し目４Ｒを予め形成し、各衿部７Ｌ，７Ｒの目移しの際に生じる空針へ各増し目４Ｌ，４Ｒを挿入して孔あきを防止する。【選択図】図１
2011214208.tif 000002
【特許請求の範囲】
【請求項１】
少なくとも前後一対の針床と、各針床に複数配置される編針に編糸を給糸させる給糸口とを備える横編機を用いてＶネックを有するニットウエアを編成するにあたり、Ｖネックをニットウエアの編幅方向に２分するＶネックの中心線を挟んで形成され、ニットウエアの編幅方向に平行な編目列からなる一側中央部および他側中央部からなるＶネック中央部と、このＶネック中央部を挟んで形成され、ニットウエアの編幅方向に対して傾斜して形成される一側衿部および他側衿部と、を編成するためのＶネック尖端部の編成方法であって、
中心線に向かって一側衿部と一側中央部を編成した後、中心線よりも一側中央部寄りの前後いずれかの針床の空針に捻れ目からなる一側増し目を形成し、
次いで、中心線よりも他側中央部寄りの前後いずれかの針床の空針に捻れ目からなる他側増し目を形成した後、前記中心線から離れる方向に向かって、他側中央部と他側衿部を編成する過程を含み、
その過程の途中、もしくはその過程の後に、
一側衿部全体を中心線から離れる方向に移動させて、その一側衿部の一部が一側衿部よりも外側にある編地部の編目に重ねられるようにし、この一側衿部の移動によってできた一側衿部と一側中央部との間に、一側増し目を挿入することで、この一側増し目を一側衿部の一部とすることと、
他側衿部全体を中心線から離れる方向に移動させて、その他側衿部の一部が他側衿部よりも外側にある編地部の編目に重ねられるようにし、この他側衿部の移動によってできた他側衿部と他側中央部との間に、他側増し目を挿入することで、この他側増し目を他側衿部の一部とすることと、
を行うことを特徴とするＶネック尖端部の編成方法。
【請求項２】
請求項１に記載のＶネック尖端部の編成方法であって、
Ｖネック尖端部を編成する過程で一側増し目を目移ししないで済むように、一側増し目を形成する前に、既に針床に形成されている一側衿部を対向する針床に目移しして、その目移しによって空針となった編針に一側増し目を形成することで、一側増し目の形成と挿入を同時に行うことを特徴とするＶネック尖端部の編成方法。
【請求項３】
請求項１または２に記載のＶネック尖端部の編成方法であって、
一側増し目の形成から他側増し目の形成までの間に、他側増し目を形成する予定の位置よりも針床長手方向の他方の側にある編針に掛け目を形成し、
その掛け目を、他側増し目の形成後で他側衿部の形成前に、編針から外すことを特徴とするＶネック尖端部の編成方法。
【請求項４】
少なくとも前後一対の針床と、各針床に複数配置される編針に編糸を給糸させる給糸口とを備える横編機を用いて編成されたＶネックを有するニットウエアであって、
Ｖネックをニットウエアの編幅方向に２分するＶネックの中心線を挟んで形成され、ニットウエアの編幅方向に平行な編目列からなる一側中央部および他側中央部からなるＶネック中央部と、
このＶネック中央部を挟んで形成され、ニットウエアの編幅方向に対して傾斜して形成される一側衿部および他側衿部と、
を備え、
一側衿部における中心線側の端部の編目が、一側中央部における中心線側の端部の編目に直接繋がる捻れ目であり、
他側衿部における中心線側の端部の編目が、他側中央部における中心線側の端部の編目に直接繋がる捻れ目であることを特徴とするＶネックを有するニットウエア。
【発明の詳細な説明】
【技術分野】
【０００１】
本発明は、Ｖネックを有するニットウエアを編成するにあたり、Ｖネック尖端部近傍に孔が空くことを防止できるＶネック尖端部の編成方法、およびこの編成方法を適用して編成されたニットウエアに関する。
【背景技術】
【０００２】
横編機で、セーターやカーディガン、ベストなどのニットウエアを編成する場合、前身頃と後身頃を一つの筒状に編成し、左右の袖もそれぞれ筒状に編成した後、脇部で身頃と両袖を接合し、一つの筒状にして無縫製のニットウエアを得る編成方法は公知である。
【０００３】
また、衿首開口部を設けながら身頃と衿部を一体に編成する編成方法（特許文献１参照）や、Ｖネックの分岐部の強度を上げるための編成方法（特許文献２参照）を本願出願人は提案している。
【０００４】
図９は、一般的なＶネックベストの前身頃１を示す図である。Ｖネックベストの前身頃１はＶネック部９を編幅方向に２分する中心線Ｘ−Ｘで左右対称であり、裾２から前身頃の胴部３を編成して、Ｚ−Ｚ上の分岐部６からは左前身頃３Ｌと右前身頃３Ｒに分岐してＶネック部９を形成する。このＶネック部９は、衿首開口部の周縁に沿って形成される衿部７（左衿部（一側衿部）７Ｌ、右衿部（他側衿部）７Ｒ）と、Ｖネックの尖端部において、中心線Ｘ−Ｘを跨ぐように形成される中央部５（左中央部（一側中央部）５Ｌ、右中央部（他側中央部）５Ｒ）とからなる。
【０００５】
図１０は、図９のＶネック部９における区間Ｙ−Ｚを編成するための編成工程図の一部である。編成に使用する横編機は、前後一対の針床を備えた２枚ベッド横編機であり、後針床（以下、ＢＢ）が前針床（以下、ＦＢ）に対してラッキング可能で、歯口の上方には移動可能な給糸口を有するものである。図１０の編成工程において、図中左側のアルファベット＋数字は工程番号を示し、左右方向の矢印は編成方向または給糸口１０の移動方向を示し、上下方向または斜め方向の矢印は目移しの方向を示す。図中のＡ〜ＴはＦＢの編針を、ａ〜ｔはＢＢの編針を示す。また、図中の○は編目を、◎は重ね目を、Ｖ印は掛け目を示し、各編成工程で実際に行われた動作は、太線で示す。ここで、図１０では、説明の便宜上、編針の数を実際の編成で使用する数より少なくし、すべて天竺で編成するものとする。また、図中では、ラッキングを伴う目移しについては、そのラッキングの動作を省略している。なお、図面の見方などは、後述する実施例図である図１，２，５，６，７においても同様である。
【０００６】
Ｕ１には、右前身頃３Ｒ（編針Ａ〜Ｅ）、右衿部７Ｒ（編針Ｆ〜Ｉ）、右中央部５Ｒ（編針Ｊ）、左中央部５Ｌ（編針Ｋ）、左衿部７Ｌ（編針Ｌ〜Ｏ）、左前身頃３Ｌ（編針Ｐ〜Ｔ）が編成された状態が示されている。この状態から、Ｕ２，Ｕ３では、ＦＤの編針Ｌ〜Ｏに係止される編目をそれぞれ、中心線Ｘ−Ｘから１目ずつ離れる方向に目移しする。続くＵ４，Ｕ５では、ＦＤの編針Ｆ〜Ｉに係止される編目をそれぞれ、中心線Ｘ−Ｘから１目ずつ離れる方向に目移しする。これらＵ２〜Ｕ５により、ＦＤの編針Ｉ，Ｌに増し目を形成するための空針を生じさせる。
【０００７】
そして、Ｕ６〜Ｖ１０では、Ｕ２〜Ｕ６で生じた空針に掛け目からなる増し目を形成しつつ、編地の前身頃を編成する。具体的には、Ｕ６では、図の右から左方向に向けて給糸口１０を移動させて、編針Ｔ〜Ｍで編目を形成する。Ｕ７では、右方向に向けて給糸口１０を移動させて、編針Ｌに掛け目からなる増し目を形成する。Ｕ８では、左方向に向けて給糸口１０を移動させて、編針Ｋ，Ｊに編目を形成する。Ｕ９では、右方向に向かって給糸口１０を移動させて、編針Ｉに掛け目からなる増し目を形成する。Ｕ１０では、左方向に向かって給糸口１０を移動させて、編針Ｈ〜Ａに編目を形成する。これらＵ６〜Ｕ１０の編成が大略的に右から左方向に進行している中で、編針Ｉ，Ｌでの掛け目の形成は左から右方向への給糸で行なわれているため、これら掛け目は捻れ目となっている。
【０００８】
Ｕ１０以降は、Ｕ２〜Ｕ９と同様の編成を、中央部５（５Ｌ，５Ｒ）と衿部７（７Ｒ、７Ｌ）のウエール方向Ｗ（図９参照）の編目数を順次増やしながら繰り返して、Ｖネック尖端部を形成していく。目移しによって形成される重ね目は、図９の区間Ｙ−Ｚにおける左右の前身頃３Ｌ、３Ｒと左右の衿部７Ｌ、７Ｒとの境界８Ｌ、８Ｒ上に現れる。また、衿部７Ｌ，７Ｒの編目列は、Ｕ２〜Ｕ５に示すように、中心線Ｘ−Ｘから離れる方向に目移しされるため、胴部３の編目列に対して傾斜する。
【０００９】
上述のように、増し目を捻れ目とすることで、この捻れ目を挟む２つの編目の間隔が詰まるので、当該増し目の形成箇所に生じる孔を目立たなくすることができる。
【先行技術文献】
【特許文献】
【００１０】
【特許文献１】特許第３０７１１４７号公報
【特許文献２】特許第３９６７９２２号公報
【発明の概要】
【発明が解決しようとする課題】
【００１１】
図１０に示す従来の編成方法では、衿部７を目移し（Ｕ２〜Ｕ５）した後に空針となった編針に対して、次の編成コースで編目を形成する（Ｕ６〜Ｕ１０）際に増し目（掛け目）を形成している。この場合、増し目（掛け目）は更に次の編成コース（Ｕ１１）で形成される編目に接続されるため、Ｖネック尖端部の編成における孔空き防止としては不十分な場合がある。このような場合には、例えば、衿部７の編成組織をメッシュ柄にするなどして、孔空きを目立たなくするなどの工夫が必要になる。
【００１２】
本発明は上記事情に鑑みてなされたものであり、その目的の一つは、Ｖネック尖端部における孔あきを効果的に防止するためのＶネック尖端部の編成方法、およびこの編成方法を適用して編成されたＶネックを有するニットウエアを提供することにある。
【課題を解決するための手段】
【００１３】
本発明は、少なくとも前後一対の針床と、各針床に複数配置される編針に編糸を給糸させる給糸口とを備える横編機を用いてＶネックを有するニットウエアを編成するにあたり、Ｖネックをニットウエアの編幅方向に２分するＶネックの中心線を挟んで形成され、ニットウエアの編幅方向に平行な編目列からなる一側中央部および他側中央部からなるＶネック中央部と、このＶネック中央部を挟んで形成され、ニットウエアの編幅方向に対して傾斜して形成される一側衿部および他側衿部と、を編成するためのＶネック尖端部の編成方法に関する。この本発明Ｖネック尖端部の編成方法は、中心線に向かって一側衿部と一側中央部を編成した後、中心線よりも一側中央部寄りの前後いずれかの針床の空針に捻れ目からなる一側増し目を形成し、次いで、中心線よりも他側中央部寄りの前後いずれかの針床の空針に捻れ目からなる他側増し目を形成した後、前記中心線から離れる方向に向かって、他側中央部と他側衿部を編成する過程を含む。そして、本発明Ｖネック尖端部の編成方法は、上記過程の途中、もしくは上記過程の後に、下記操作１と操作２とを行うことを特徴とする。
［操作１］一側衿部全体を中心線から離れる方向に移動させて、その一側衿部の一部が一側衿部よりも外側にある編地部の編目に重ねられるようにし、この一側衿部の移動によってできた一側衿部と一側中央部との間に、一側増し目を挿入することで、この一側増し目を一側衿部の一部とする操作。
［操作２］他側衿部全体を中心線から離れる方向に移動させて、その他側衿部の一部が他側衿部よりも外側にある編地部の編目に重ねられるようにし、この他側衿部の移動によってできた他側衿部と他側中央部との間に、他側増し目を挿入する操作。
【００１４】
なお、上記操作１，２を行うタイミングは、種々選択することができる。例えば、後述する第１実施形態に示すように、上記過程を行った後、順次操作１と操作２を行うことが挙げられる。その他、上記過程における一側増し目の形成が終了した時点で操作１を行い、次いで上記過程の全てが終了した時点で操作２を行っても良い。さらに、上記過程における一側衿部と一側中央部の形成が終了した時点で一側衿部と一側中央部との間を空けておき、その空いたところに一側増し目を形成することで、一側増し目の形成と挿入とが同時に行われるようにしても良い。
【００１５】
本発明Ｖネック尖端部の編成方法の一形態として、Ｖネック尖端部を編成する過程で一側増し目を目移ししないで済むように、一側増し目を形成する前に、既に針床に形成されている一側衿部を対向する針床に目移しして、その目移しによって空針となった編針に一側増し目を形成することが好ましい。この編成方法は、上述した一側増し目の形成と挿入が同時に行われる編成方法である。
【００１６】
本発明Ｖネック尖端部の編成方法の一形態として、一側増し目の形成から他側増し目の形成までの間に、他側増し目を形成する予定の位置よりも針床長手方向の他方の側にある編針に掛け目を形成し、その掛け目を、他側増し目の形成後で他側衿部の形成前に、編針から外すことが好ましい。
【００１７】
一方、本発明Ｖネックを有するニットウエアは、少なくとも前後一対の針床と、各針床に複数配置される編針に編糸を給糸させる給糸口とを備える横編機を用いて編成されたＶネックを有するニットウエアである。この本発明ニットウエアは、Ｖネックをニットウエアの編幅方向に２分するＶネックの中心線を挟んで形成され、ニットウエアの編幅方向に平行な編目列からなる一側中央部および他側中央部からなるＶネック中央部と、このＶネック中央部を挟んで形成され、ニットウエアの編幅方向に対して傾斜して形成される一側衿部および他側衿部と、を備える。そして、本発明ニットウエアは、このニットウエアにおける一側衿部における中心線側の端部の編目が、一側中央部における中心線側の端部の編目に直接繋がる捻れ目であり、他側衿部における中心線側の端部の編目が、他側中央部における中心線側の端部の編目に直接繋がる捻れ目であることを特徴とする。
【発明の効果】
【００１８】
本発明Ｖネック尖端部の編成方法によれば、衿部の編成コース中で増し目を予め形成しておき、衿部の目移し時にこの増し目を使って孔埋めを行なっている。より具体的には、一側衿部・一側中央部・一側増し目の順で編成した上で、一側衿部と一側中央部との間に一側増し目を挿入している。そうすることで、一側衿部と一側中央部とを繋ぐ編糸が一側増し目を横切るように渡るため、当該増し目による孔空きが目立ち難くできる。同様に、他側増し目・他側中央部・他側衿部の順で編成した上で、他側衿部と他側中央部との間に他側増し目を挿入することで、他側増し目を横切るように他側衿部と他側中央部とを繋ぐ編糸を渡らせ、当該増し目を目立ち難くできる。その結果、見栄えの良いＶネック尖端部を有する本発明Ｖネックを有するニットウエアを得ることができる。
【００１９】
また、上記ステップ１〜８を備えるＶネック尖端部の編成方法によれば、出来上がるＶネックを有するニットウエアにおいて、Ｖネックの中心線を挟んで衿部の形状をほぼ線対称の形状とすることができる。
【００２０】
さらに、一側増し目と他側増し目の形成の間に一旦掛け目を形成し、他側増し目の形成後に針床から外すことで、一側衿部と一側中央部の間に一側増し目を挿入するとき、および他側衿部と他側中央部の間に他側増し目を挿入するときに、編糸に過剰なテンションがかかることを抑制できる。詳細は後述する実施形態で述べる。
【図面の簡単な説明】
【００２１】
【図１】第１実施形態に示すＶネック尖端部の編成方法についての編成工程第１図である。
【図２】第１実施形態に示すＶネック尖端部の編成方法についての編成工程第２図である。
【図３】第１実施形態の編成途中における一側増し目と他側増し目の係止状態を示すループ図である。
【図４】第１実施形態で編成したＶネックベストの襟首近傍の拡大写真を示す図である。
【図５】変形実施形態に示すＶネック尖端部の編成方法についての編成工程図である。
【図６】第２実施形態に示すＶネック尖端部の編成方法についての編成工程第１図である。
【図７】第２実施形態に示すＶネック尖端部の編成方法についての編成工程第２図である。
【図８】第２実施形態の編成途中における一側増し目と他側増し目の係止状態を示すループ図である。
【図９】Ｖネックベストの前身頃１を示す概略図である。
【図１０】従来のＶネック尖端部の編成方法についての編成工程図である。
【発明を実施するための形態】
【００２２】
以下、前後一対の針床を備え、後針床（ＢＢ）が前針床（ＦＢ）に対してラッキング可能で、歯口の上方には移動可能な給糸口を有する２枚ベッド横編機を用いてＶネックベストを編成する例を説明する。編成するＶネックベストの概略的な外見は、図９を参照する一般的なＶネックベストと同様であり、背景技術で説明したＶネックベストの各部の説明は省略する。なお、言うまでもないが、トランスファージャックベッドを備える２枚ベッド横編機や、４枚ベッド横編機でも、以下の編成方法を実施することができる。
【００２３】
＜第１実施形態＞
図１，２は、図９で示すＶネック尖端部（区間Ｙ−Ｚ）の編成工程図である。但し、Ｖネック尖端部の編成が始まるＹ−ＹからＺ−Ｚに至る途中の２サイクル分についてのみ説明する。ここで、本実施形態におけるＶネックを編幅方向に２分する中心線Ｘ−Ｘを跨ぐ中央部５は、左中央部（一側中央部）５Ｌ、右中央部（他側中央部）５Ｒからなり、それらは共に各１目からなる。また、図中の右方を針床の一方、左方を針床の他方とする。
【００２４】
Ｓ１には、図９のＶネック尖端部の編成が始まるＹ−Ｙ直前の編成コースが示されており、図の左から右方向に向けて（針床の他方から一方に向かって）給糸口１０を移動させて、前身頃の胴部３の編目をＦＢの編針Ａ〜Ｔで形成する。Ｓ２以降の編成では、各編成工程の右から左前身頃３Ｌ、左衿部７Ｌ、左中央部５Ｌ、右中央部５Ｒ、右衿部７Ｒ、右前身頃３Ｒの順で並ぶＶネック尖端部を編成する。
【００２５】
Ｓ２では、図の右から左方向に向けて（針床の一方から他方に向けて）給糸口１０を移動させて、左前身頃３ＬをＦＢの編針Ｔ〜Ｍで、左衿部７ＬをＦＢの編針Ｌで、左中央部５ＬをＦＢの編針Ｋで、順に編成する。
【００２６】
Ｓ３では、左衿部７Ｌに隣接する左中央部５Ｌの編目を、中心線Ｘ−Ｘから離れるように、ＦＢの編針Ｋから対向するＢＢの編針ｌへ目移しする。この目移しによって、ＦＢの編針Ｋは空針となる。
【００２７】
Ｓ４では、図の左から右方向に向けて給糸口１０を移動させて、空針であるＦＢの編針Ｋで掛け目４Ｌを形成し、続くＳ５では、図の右から左方向に向けて給糸口１０を移動させる。このＳ４，Ｓ５により編針Ｋに形成された掛け目４Ｌが捻られ、この捻られた掛け目４Ｌは、後述するように左衿部７Ｌの一部となる一側増し目４Ｌとなる。
【００２８】
Ｓ６では、Ｓ４で形成した一側増し目４Ｌを、ＦＢの編針Ｋから対向するＢＢの編針ｋへ目移しし、続くＳ７では、Ｓ３で目移しした左中央部５Ｌの編目を、ＢＢの編針ｌから目移し前のＦＢの編針Ｋへ戻す。
【００２９】
Ｓ８では、図の左から右方向に向けて給糸口１０を移動させて、次のＳ９で編成する右中央部（他側中央部）５Ｒの編目に対向するＢＢの編針ｊで掛け目４Ｒを形成し、続くＳ９では、図の右から左方向に向けて給糸口１０を移動させて、右中央部５Ｒの編目をＦＢの編針Ｊで形成する。ここで、Ｓ８で編針ｊに形成された掛け目４Ｒが捻られ、この捻られた掛け目４Ｒは、後述する右衿部（他側衿部）７Ｒの一部となる他側増し目４Ｒとなる。
【００３０】
Ｓ１０では、図の左から右方向に向けて給糸口１０を移動させる。そして、続くＳ１１では、図の右から左方向に向けて給糸口１０を移動させて、ＢＢの編針ｊで係止する掛け目に続いてニットして新たな編目を形成した後、右衿部７Ｒの編目をＦＢの編針Ｉで、右前身頃３Ｒの編目をＦＢの編針Ｈ〜Ａで編成する。Ｓ１１でＢＢの編針ｊに係止される掛け目は、他側増し目４Ｒであるので、この掛け目に続いて形成される新たな編目も、他側増し目４Ｒと見做せる。
【００３１】
上記Ｓ１１で編針ｊの掛け目に対して行ったニットは、後のＳ１３，１４（図２参照）における編目の目移しを容易にし、且つ目移し後の増し目間の編糸が突っ張り過ぎないようにするためのものであり、必要に応じて実施するか否かを選択することができる。この目移しを容易にするためのニットは、ＢＢの編針ｋで係止する掛け目（一側増し目４Ｌ）に対して実施しても良く、また、両方の掛け目（増し目４Ｌ，４Ｒ）に対して実施しても良い。その他、掛け目に対するニットを行う代わりに、編針により編糸の引き込み量を大きくして、掛け目のループ長を大きくすることでも、Ｓ１３，１４における目移しを容易にすることができる。これらのことを実施することで、特に左中央部７Ｌと右中央部７Ｌ間の割れや歪みを無くして、Ｖネック尖端部の見栄えを良くすることができる。
【００３２】
ここで、図１のＳ９の編成が完了した時点での編針上での係止状態を示すループ図を図３に示す。ＢＢの編針ｋ、ｊで係止している編目は、それぞれ一側増し目（掛け目）４Ｌと他側増し目（掛け目）４Ｒである。図に示すように、給糸口１０から供給された編糸が、編針Ｌ、Ｋ、ｋ、ｊ、Ｊの順に繋がり、Ｖネック中心線Ｘ−Ｘで左右対称になっている。また、編針ｋ、ｊで係止される各増し目４Ｌ，４Ｒは、それぞれ捻れ目になっており、増し目４Ｌ，４Ｒを繋ぐ編糸は、増し目４Ｌ，４Ｒの下側に配されている。
【００３３】
次に、Ｓ１１に続く図２のＳ１２では、右衿部７ＲをＦＢの編針Ｉから対向するＢＢの編針ｉへ目移しし、左衿部７ＬをＦＢの編針Ｌから対向するＢＢの編針ｌへ目移しする。Ｓ１３では、ＢＢの編針ｋで係止する一側増し目４ＬをＦＢの編針Ｌへ目移しし、ＢＢの編針ｌで係止する左衿部７ＬをＦＢの編針Ｍへ目移しする。一側増し目４Ｌは目移しされて、空針となるＦＢの編針Ｌを埋めるように挿入され、孔空きを防止すると同時に左衿部７Ｌの編目となる。ＦＢの編針Ｍでは、重ね目となり、図９の区間Ｙ−Ｚにおける左前身頃３Ｌと左衿部７Ｌとの境界８Ｌ上に現れる。
【００３４】
Ｓ１４では、中心線Ｘ−Ｘを挟んでＳ１３と線対称の編成を行う。ＢＢの編針ｊで係止する他側増し目４ＲをＦＢの編針Ｉへ目移しし、ＢＢの編針ｉで係止する右衿部７ＲをＦＢの編針Ｈへ目移しする。他側増し目４Ｒは目移しされて、空針となるＦＢの編針Ｉを埋めるように挿入され、孔空きを防止すると同時に右衿部７Ｒの編目となる。ＦＢの編針Ｈでは、重ね目となり、図９の区間Ｙ−Ｚにおける右前身頃３Ｒと右衿部７Ｒとの境界８Ｒ上に現れる。
【００３５】
Ｓ１５では、図の左から右方向に向けて給糸口１０を移動させて、右前身頃３ＲをＦＢの編針Ａ〜Ｈで、右衿部７ＲをＦＢの編針Ｉで、右中央部５ＲをＦＢの編針Ｊで、左中央部５ＬをＦＢの編針Ｋで、左衿部７ＬをＦＢの編針Ｌで、左前身頃３ＬをＦＢの編針Ｍ〜Ｔで、順に編成する。
【００３６】
以降、図９に示すように、段々と衿ぐりが開いていくネックホールを編成していく場合、衿部７の編目数を左右でそれぞれ更に１目ずつ増やしながら、Ｓ１〜Ｓ１５で示した編成を同様の編成を行えば良い。参考までに、Ｓ１５に続く１サイクル分の編成を図２に示す。
【００３７】
まず、Ｓ１６〜Ｓ２５では、図示を省略しているが、Ｓ２〜Ｓ１１と同様の編成を行ない、次のＳ２６〜Ｓ２８での目移し時に生じる空針を埋めるための増し目４Ｌ，４Ｒを形成する。但し、衿部７Ｌ，７Ｒの編目数は１目増え、ＦＢの編針Ｈ、Ｉに係止される編目は右衿部７Ｒに、ＦＢの編針Ｌ、Ｍに係止される編目は左衿部７Ｌに相当する。
【００３８】
Ｓ２６では、右衿部７ＲをＦＢの編針Ｈ、Ｉから対向するＢＢの編針ｈ、ｉへ目移しし、左衿部７ＬをＦＢの編針Ｌ、Ｍから対向するＢＢの編針ｌ、ｍへ目移しする。
【００３９】
Ｓ２７では、ＢＢの編針ｋで係止する一側増し目４ＬをＦＢの編針Ｌへ目移しし、ＢＢの編針ｌ、ｍで係止する左衿部７ＬをＦＢの編針Ｍ、Ｎへ目移しする。一側増し目４Ｌは目移しされて、空針となるＦＢの編針Ｌを埋めるように挿入され、孔空きを防止すると同時に左衿部７Ｌの編目となる。ＦＢの編針Ｎでは、重ね目が形成され、その重ね目は図９の区間Ｙ−Ｚにおける左前身頃３Ｌと左衿部７Ｌとの境界８Ｌ上に現れる。
【００４０】
Ｓ２８では、中心線Ｘ−Ｘを挟んでＳ２７と線対称の編成を行う。ＢＢの編針ｊで係止する他側増し目４ＲをＦＢの編針Ｉへ目移しし、ＢＢの編針ｈ、ｉで係止する右衿部７ＲをＦＢの編針Ｇ、Ｈへ目移しする。他側増し目４Ｒは目移しされて、空針となるＦＢの編針Ｉを埋めるように挿入され、孔空きを防止すると同時に右衿部７Ｒの編目となる。ＦＢの編針Ｇでは、重ね目が形成され、その重ね目は図９の区間Ｙ−Ｚにおける右前身頃３Ｒと右衿部７Ｒとの境界８Ｒ上に現れる。
【００４１】
上記編成工程を繰り返し、Ｖネック尖端部の編成が終わるＺ−Ｚに達すれば、例えば特許文献２に記載の編成方法を分岐部６で適用すればよい。分岐後は、編成に使用する給糸口を増やして、右前身頃３Ｒと右衿部７Ｒ、左前身頃３Ｌと左衿部７Ｌを肩部まで編成すれば、Ｖネックベストの前身頃１を完成させることができる。
【００４２】
以上説明したＶネック尖端部の編成方法では、Ｓ１３とＳ１４、Ｓ２７とＳ２８の各目移し工程の前に、それぞれ中心線Ｘ−Ｘの両側で予め増し目４Ｌ，４Ｒを形成している。そしてＳ１３とＳ１４、Ｓ２７とＳ２８の各目移しの際に、予め形成しておいた増し目４Ｌ，４Ｒは、空針となっている編針に目移しされて孔空きを防止する。より具体的には、衿部７Ｌ（７Ｒ）・中央部５Ｌ（５Ｒ）・増し目４Ｌ（４Ｒ）の並びでこれらを編成した上で、衿部７Ｌ（７Ｒ）と中央部５Ｌ（５Ｒ）との間に増し目４Ｌ（４Ｒ）を挿入している。そうすることで、衿部７Ｌ（７Ｒ）と中央部５Ｌ（５Ｒ）とを繋ぐ編糸が増し目４Ｌ（４Ｒ）を横切るように渡るため、当該増し目４Ｌ（４Ｒ）による孔空きが目立ち難く、見栄えの良いＶネック尖端部を編成できる。
【００４３】
図４は、以上説明した編成工程を経て得られたＶネックベストの襟首部分の拡大写真である（但し、図４のＶネックベストは、衿部に組織柄を形成するために衿部の一部を裏目で形成している）。この図４に示すように、Ｖネックベストの身頃の編幅方向に平行に中央部が形成され、当該身頃の編幅方向に対して傾斜して衿部が形成されている。また、このＶネックベストでは、本来孔が空き易い位置であった中央部と衿部との間の位置に殆ど孔が生じておらず、見栄えの良いＶネックベストであることがわかる。
【００４４】
なお、本実施形態では、右中央部５Ｒと左中央部５Ｌをそれぞれ１目として説明したが、それぞれ複数の目数であってもよい。また、図１，２に記載のステップを、本発明の要旨を逸脱しない範囲で適宜入れ替えても良い。例えば、Ｓ１３とＳ１４の順序が逆でも良い。また、Ｓ２〜Ｓ１４の一編成単位において、Ｓ２〜Ｓ７、Ｓ１２（編針Ｌから編針ｌへの目移しのみ）、Ｓ１３、Ｓ８〜Ｓ１１、Ｓ１２（編針Ｉから編針ｉへの目移しのみ）、Ｓ１４の順で実施してもよい。これら例示したものに限らず、適宜ステップを入れ替えたりすることで、編成効率を向上させることができる。
【００４５】
＜変形実施形態＞
変形実施形態では、編成工程を通じて一側増し目を目移ししないで済むように編成工程を組みなおすことで、編成効率を向上させたＶネック尖端部の編成方法を、図５に示す編成工程図に基づいて説明する。
【００４６】
また、本変形実施形態では、左右の衿部の形成状態を完全に同じとするためのＶネック尖端部の編成方法も同時に説明する。上述した第１実施形態では、図１のＳ１１で他側増し目４Ｒとなる掛け目に続いてニットを行って新たな編目を形成することで、図２のＳ１３，Ｓ１４における目移しが容易に行えるようにしたが、この場合、他側増し目４Ｒが掛け目に連続する新たな編目であるのに対して、一側増し目４Ｌは掛け目のままであるため、左右の衿部７Ｌ，７Ｒの形成状態に若干の相違が生じる（特に、図２のＳ１２を参照）。本変形実施形態に示す編成方法は、この相違を完全になくすことができる。なお、編成効率を向上させるために行う操作と、左右の衿部の形成状態と同じにするために行う操作とは、独立した操作である。
【００４７】
図５のＳ２´〜Ｓ１１´は、図１のＳ２〜Ｓ１４にほぼ対応した編成を行っている。以下、相違点についてのみ説明する。
【００４８】
Ｓ３´では、図１のＳ３とは異なり、ＦＢの編針Ｌに係止される衿部７Ｌの編目を、ＢＢの編針ｍに目移ししている。ＦＢの編針Ｌは、第１実施形態の図２のＳ１３に示すように、将来的に一側増し目４Ｌを挿入する位置にあたる。そこで、本変形実施形態のＳ４´では、給糸口１０を紙面右方向に移動させる間に、ＦＢの編針Ｌに、一側増し目４Ｌとなる掛け目を形成する。そうすることで、一側増し目４Ｌの形成と挿入とが同時に行われることになり、以降の編成工程を通じてこの一側増し目４Ｌを移動させる必要がなくなる。つまり、本変形実施形態では、第１実施形態で行っていた一側増し目４Ｌを移動させる工程を省略することができ、Ｓ１０´で、Ｓ３´において目移しした編目を、対向するＦＢの編針Ｌに係止される編目に重ね合わせるだけで、左衿部７Ｌを完成させることができる。
【００４９】
一方、左右の衿部７Ｌ，７Ｒの形成状態を同一とするために、本変形実施形態のＳ５´では、図１のＳ５のように単に給糸口１０を左方向に移動させるのではなく、ＢＢの編針ｈに掛け目を形成している。この掛け目は、Ｓ４´で編針Ｌに形成する一側増し目４Ｌと、Ｓ６´で編針ｊに形成する他側増し目４Ｒとを繋ぐ編糸の糸長を稼ぐためのものである。そのため、Ｓ５´で形成した掛け目は、Ｓ６´で他側増し目４Ｒを形成した後で、Ｓ９´で他側衿部を形成する前、即ち、Ｓ８´でＢＢの編針ｈから外される。
【００５０】
編針ｈに掛け目を形成して一側増し目４Ｌと他側増し目４Ｒとを繋ぐ編糸の糸長を稼ぐことにより、Ｓ９´に示すように、ＢＢの編針ｊに係止される他側増し目４Ｒに対してニットする必要がなくなる。その結果、一側増し目４Ｌと他側増し目４Ｒは両方とも掛け目のまま、後の編成を行うことができるため、出来上がるＶネックベストにおいて、中心線Ｘ−Ｘを挟んで左右の衿部７Ｌ，７Ｒの見た目を完全な線対称とすることができる。
【００５１】
なお、上記掛け目を形成する位置は、増し目４Ｌ，４Ｒ間の糸長を稼ぐことができる位置であれば良く、編針ｈの位置に限定されるわけではない。また、上記掛け目は、後で編針から外してしまうので、この掛け目を形成する編針は空針でありさえすれば良く、ＦＢの編針であってもかまわない。
【００５２】
＜第２実施形態＞
第１実施形態では、一側増し目をＦＢの編針で、他側増し目をＢＢの編針で編成する例を説明したが、本第２実施形態では、一側増し目をＢＢの編針で、他側増し目をＦＢの編針で編成する例を、図６，７に基づいて説明する。
【００５３】
Ｔ１では、第１実施形態と同様に、給糸口１０を左から右方向に移動させる間にＦＢの編針Ａ〜Ｔに編目を形成する。次いで、Ｔ２では、給糸口１０を反転させて、ＦＢの編針Ｔ〜Ｋに編目を形成し、続くＴ３では、給糸口１０を左から右方向に移動させる間にＢＢの編針ｋに掛け目を形成する。この掛け目は一側増し目４Ｌである。
【００５４】
Ｔ４では、給糸口１０を一旦、ＢＢの編針ｉよりも左側に移動させ、Ｔ５では、ＦＢの編針Ｊに係止される編目を対向するＢＢの編針ｉに目移しする。そして、Ｔ６では、給糸口１０を右方向に移動させる間に、Ｔ５の目移しにより空針となったＦＢの編針Ｊに掛け目を形成する。この掛け目は他側増し目４Ｒである。なお、Ｔ４において、変形実施形態に示すように、Ｔ３で形成した一側増し目４ＬとＴ６で形成する他側増し目４Ｒとを繋ぐ編糸の糸長を稼ぐための掛け目を、例えば、ＢＢの編針ｈなどに形成しても良い。
【００５５】
Ｔ７では、一旦、給糸口１０をＢＢの編針ｊよりも左側に移動させ、Ｔ８では、ＦＢの編針Ｊに係止される他側増し目４Ｒを対向するＢＢの編針ｊに目移しする。
【００５６】
次いで、図７のＴ９では、Ｔ８の目移しにより空針となったＦＢの編針Ｊに、Ｔ５で目移ししておいた編目を戻し、Ｔ１０で一旦、給糸口１０を右方向に移動させた後、Ｔ１１で再び給糸口１０を左方向に移動させ、この左方向への給糸口１０の移動の際に、ＦＢの編針Ｊで他側中央部５Ｒの編目を編成する。
【００５７】
ここで、図７のＴ９の編成が完了した時点での編針上での係止状態を示すループ図を図８に示す。ＢＢの編針ｋ、ｊで係止している編目は、それぞれ一側増し目（掛け目）４Ｌと他側増し目（掛け目）４Ｒである。図に示すように、給糸口１０から供給された編糸が、編針Ｌ、Ｋ、ｋ、ｊ、Ｊの順に繋がり、Ｖネック中心線Ｘ−Ｘで左右対称になっている。また、編針ｋ、ｊで係止される各増し目４Ｌ，４Ｒは、それぞれ捻れ目になっており、増し目４Ｌ，４Ｒを繋ぐ編糸は、増し目４Ｌ，４Ｒの上側に配されている。
【００５８】
次のＴ１２〜Ｔ１６では、図２に示す第１実施形態のＳ１０〜Ｓ１５に示す編成と全く同様の編成を行う。ここで、上述したように、Ｔ４で増し目４Ｌ，４Ｒ間を繋ぐ編糸の糸長を稼ぐ掛け目を形成している場合、Ｔ１２でその掛け目を編針から外すことで、Ｔ１３における他側増し目４Ｒへのニットを省略することができる。
【００５９】
以降、衿部７の幅を徐除に広げていくのであれば、Ｔ１〜Ｔ１６に示した編成と同様の編成を、衿部７の編目数を増やしつつ繰り返せば良い。
【００６０】
以上説明したＶネック尖端部の編成方法で得られたＶネックベストは、図４に示した第１実施形態のＶネックベストとは、中央部と衿部との境界近傍の編目の形成状態が若干異なるものの、当該境界近傍における孔空きは従来よりも抑制された見栄えの良いものとなる。この第２実施形態と、上述した第１実施形態とで中央部と衿部との境界近傍の編目の形成状態が異なるのは、編成途中の増し目４Ｌ，４Ｒの形成状態が、図３を参照する第１実施形態と図８を参照する第２実施形態とで異なるからである。
【００６１】
なお、上述した実施形態では、説明の便宜上、衿部７や胴部３、身頃３Ｌ，３Ｒを天竺編みとしたが、これらの部分を組織柄にすることもできる。また、編成するニットウエアもＶネックベストに限定されるわけではなく、身頃や両袖をそれぞれ筒状に編成して接合した無縫製のセーターやカーディガンとしても良い。
【符号の説明】
【００６２】
１  Ｖネックベストの前身頃
２  裾
３  胴部  ３Ｌ  左前身頃  ３Ｒ  右前身頃
４Ｌ  一側増し目（掛け目）  ４Ｒ  他側増し目（掛け目）
５  中央部    ５Ｌ  左中央部（一側中央部）  ５Ｒ  右中央部（他側中央部）
６  分岐部
７  衿部    ７Ｌ  左衿部（一側衿部）  ７Ｒ  右衿部（他側衿部）
８Ｌ，８Ｒ  境界
９  Ｖネック部
１０  給糸口
【図１】
2011214208.tif 000003
【図２】
2011214208.tif 000004
【図３】
2011214208.tif 000005
【図５】
2011214208.tif 000006
【図６】
2011214208.tif 000007
【図７】
2011214208.tif 000008
【図８】
2011214208.tif 000009
【図９】
2011214208.tif 000010
【図１０】
2011214208.tif 000011
【図４】
2011214208.tif 000012